(57)【要約】【課題】  従来の鉄道車両用灯具に比してより多様なデザインとすることができ、しかもソケットカバーの開閉機構を別部材を用いることなく灯具本体に直接的に設けて構造の簡素と部品点数の削減を図ることのできる鉄道車両用灯具を提供する。【解決手段】  蛍光ランプ３を支持する２つのランプソケット３を両端部に装着する灯具本体１をアルミ押出成形材により形成し、その灯具本体１には、蛍光ランプ３の両側を通るように長手方向に沿った溝１３を形成し、その各溝１３に、各ランプソケット３の下方を覆うソケットカバー４を摺動自在に支持し、かつ、所要位置に係止するための位置決め機構（例えばボールプランジャ７および孔４１ｃ）を設けた構成とすることにより、ソケットカバー４を開閉するための他部材を灯具本体１に取り付ける必要をなくし、部品点数および組立工数の削減を達成すると当時に、灯具本体１をアルミ押出成形材とすることによる断面形状の自由度を高くし、デザイン性を向上させることを可能とする。【選択図】  図１
2006027526.tif 000002
【特許請求の範囲】
【請求項１】
鉄道車両の客室内の天井部に取り付けられる灯具であって、
蛍光ランプの両端部を支持して給電するための２つのランプソケットが長手方向両端部近傍に装着される灯具本体が、アルミ押出成形材により形成され、その灯具本体には、長手方向に沿い、かつ、蛍光ランプの両側を通るように２条の溝が形成され、その各溝に、上記各ランプソケットおよび蛍光ランプの端部の一部を下方から覆うためのソケットカバーが摺動自在に嵌まり込んでいるとともに、そのソケットカバーを上記ランプソケットの下方位置で係止するための位置決め機構を備えていることを特徴とする鉄道車両用灯具。
【請求項２】
上記ソケットカバーがアルミ押出成形材であることを特徴とする請求項１に記載の鉄道車両用灯具。
【請求項３】
上記ソケットカバーの位置決め機構が、灯具本体側に取り付けられたボールプランジャと、当該ソケットカバー側に設けられた孔からなり、その孔にボールプランジャのボールが入り込むことによってソケットカバーが係止されることを特徴とする請求項１または２に記載の鉄道車両用灯具。
【請求項４】
上記灯具本体の複数個が長手方向に隣接して、上記各溝が各灯具本体間で連続するように配置され、互いに隣接する２つの灯具本体においてその境界部分を挟んでその両側に設けられている２つのプラグソケットを含む領域が、共通のソケットカバーにより覆われていることを特徴とする請求項１、２または３に記載の鉄道車両用灯具。
【発明の詳細な説明】
【技術分野】
【０００１】
本発明は鉄道車両の車室内を照明するための灯具に関する。
【背景技術】
【０００２】
鉄道車両の客室には、一般に、その天井部に蛍光ランプを光源とする灯具が取り付けられ、その光源の蛍光ランプとしては直管が多用されており、蛍光ランプの両端を支持して給電する一対のランプソケットを備えた灯具が用いられる（例えば特許文献１参照）。
【０００３】
このような灯具は、従来、上記特許文献１にも記載されているように、例えばＳＰＣＣなどの圧延鋼板を用いたプレス成形品が主として用いられている。その構成例を図６および図６にそれぞれ斜視図（Ａ）および要部拡大側面図図（Ｂ）で示す。
【０００４】
図６の例においては、圧延鋼板のプレス成形品からなる灯具本体６１の両端に一対のランプソケット６２が固着され、その各ランプソケット６２に蛍光ランプ６３の両端部が支持されている。そして、各ランプソケット６２は、蛍光ランプ６３の両端部の一部とともに、その下方に設けられているソケットカバー６４によって覆われ、このソケットカバー６４により、万が一蛍光ランプ５３がランプソケット６２から外れても、蛍光ランプ６３が落下することを防止するように構成されている。ソケットカバー６４は、従来、樹脂製であって、灯具本体６１にランプソケット６２とともに取り付けられている支持機構（図示せず）により支持されている水平軸６５の回りに回動して開閉することにより、蛍光ランプ６３の交換を可能としている。
【０００５】
また、図７の例においては、同じく圧延鋼板のプレス成形品からなる灯具本体７１の両端に、ランプソケット７２を含む端部ユニット７２０を固定し、その端部ユニット７２０の各ランプソケット７２に蛍光ランプ７３両端部を支持するとともに、各端部ユニット７２０にはガイド溝を設けて、ソケットカバー７４をスライド可能に支持し、このスライドによりソケットカバー７４を開閉できるように構成している。
【０００６】
ここで、鉄道車両用の灯具としては、蛍光ランプからの光を和らげるなどの目的で、蛍光ランプの全体を覆うグローブを設けた構成のもの（例えば特許文献２参照）も知られており、このようなグローブを備えたものにあっては上記したようなソケットカバーが不要となるものの、近年、樹脂の長尺物は火災の発生時における安全等の観点から極力車室内に配置しないことが望ましいとされ、このようなことから、鉄道車両の室内照明用の灯具としては、グローブを持たないものが主流となると予想される。
【特許文献１】特開平１０−１３４６２８号公報
【特許文献２】特開２００１−１８４９３１号公報
【発明の開示】
【発明が解決しようとする課題】
【０００７】
ところで、ソケットカバーにより蛍光ランプの落下を防止する構成の図６，図７に例示した従来の鉄道車両用灯具においては、いずれも、灯具本体が圧延鋼板を用いたプレス成形品であるため、そのデザインの自由度が低く、かつ、複雑な形状をある程度高い精度のもとに得ることが困難であるが故に、ソケットカバーの開閉機構を灯具本体とは別に用意して取り付ける必要があるなど、部品点数が多く組立工数も多くなるという問題がある。  
【０００８】
また、金属プレス成形品からなる灯具本体の両端部に樹脂製のソケットカバーを装着したデザインは、例え灯具本体を鉄道車両の天井部に長手方向に連続的に取り付けたとしても、個々の灯具が離散的に配置されている感を消し去ることはできず、連続感が生じることがない。
【０００９】
本発明はこのような実情に鑑みてなされたもので、従来の鉄道車両用灯具に比してより多様なデザインとすることができ、しかも、ソケットカバーの開閉機構を別部材を用いることなく灯具本体に直接的に設けて構造の簡素化と部品点数の削減を図ることのできる鉄道車両用灯具の提供をその課題としている。
【００１０】
また、本発明の他の課題は、上記に加えて鉄道車両の天井部に取り付けたときに灯具の連続感を持たせることができ、使用状態におけるトータルデザイン性をも向上させることのできる鉄道車両用灯具を提供することにある。
【課題を解決するための手段】
【００１１】
上記の課題を解決するため、本発明の鉄道車両用灯具は、蛍光ランプの両端部を支持して給電するための２つのランプソケットが長手方向両端部近傍に装着される灯具本体が、アルミ押出成形材により形成され、その灯具本体には、長手方向に沿い、かつ、蛍光ランプの両側を通るように２条の溝が形成され、その各溝に、上記各ランプソケットおよび蛍光ランプの端部の一部を下方から覆うためのソケットカバーが摺動自在に嵌まり込んでいるとともに、そのソケットカバーを上記ランプソケットの下方位置で係止するための位置決め機構を備えていることによって特徴づけられる（請求項１）。
【００１２】
ここで、本発明においては、上記ソケットカバーについてもアルミ押出成形材とした構成（請求項２）を好適に採用することができる。
【００１３】
また、本発明においては、上記ソケットカバーの位置決め機構が、灯具本体側に取り付けられたボールプランジャと、当該ソケットカバー側に設けられた孔からなり、その孔にボールプランジャのボールが入り込むことによってソケットカバーが係止されるようにした構成（請求項３）を採用することができる。
【００１４】
更に、上記した他の課題を解決するため、請求項４に係る発明は、上記灯具本体の複数個が長手方向に隣接して、上記各溝が各灯具本体間で連続するように配置され、互いに隣接する２つの灯具本体においてその境界部分を挟んでその両側に設けられている２つのプラグソケットを含む領域が、共通のソケットカバーにより覆われていることによって特徴づけられる。
【００１５】
本発明は、断面形状のデザインの自由度が高く、かつ、その形状精度の高いアルミ押出成形材を灯具本体に採用して、その灯具本体にソケットカバーを開閉のために摺動自在に支持するための２条の溝を形成することによって、上記した課題を解決しようとするものである。
【００１６】
すなわち、本発明においては、長手方向両端部近傍に蛍光ランプ用のランプソケットが装着される灯具本体をアルミ押出成形材によって形成し、その灯具本体には、蛍光ランプの両側を通る位置にそれぞれ長手方向に沿った溝を形成して、その各溝に灯具本体両端部に装着されているプラグソケットとその近傍の下方を覆うソケットカバーを摺動自在に嵌め込み、更にそのソケットカバーを所要位置で係止するための位置決め機構を設ける。この構成により、灯具本体に対して従来のようなソケットカバーの開閉用の水平軸やソケットカバーをスライドさせるための端部ユニット等の他の部材を取り付けることなく、灯具本体自体にソケットカバーの開閉機構を持たせることができ、これらの他の部材を不要とすることができる。
【００１７】
また、請求項２に係る発明のように、ソケットカバーについてもアルミ押出成形材とすることにより、灯具本体とソケットカバーの一体感を生じさせることが可能となり、全体のデザイン性を良好なものとすることができると同時に、従来の樹脂製のソケットカバーを用いる場合に比して、その強度を向上させることもできる。
【００１８】
更に、ソケットカバーを灯具本体上で位置決めする機構として、請求項３に係る発明のように、ボールをその支持筒（ねじ）の軸方向に付勢するボールプランジャと、ソケットカバーに設けた孔によって構成することにより、市販品を用いた簡単な構成のもとに振動等によりソケットカバーがずれることを確実に防止することができる。
【００１９】
そして、請求項４に係る発明のように、複数個の灯具本体を長手方向に隣接して、２条の溝がそれぞれ複数個の灯具本体間で連続するように配置した状態において、互いに隣接する灯具本体でその境界部分を挟んで両側で背向する２つのランプソケットを、共通のソケットカバーで覆うように構成すれば、隣接する灯具本体どうしの境界をそのソケットカバーで覆い隠すことができ、灯具の連続感を持たせることができる。
【発明の効果】
【００２０】
本発明によれば、アルミ押出成形材により灯具本体を形成し、その灯具本体にソケットカバーを開閉するべくスライドさせるための溝を形成しているので、従来のように灯具の端部にソケットカバーを開閉するための水平軸とその支持機構や、スライド機構を備えた端部ユニットなどの別部材を必要とせず、その結果、灯具の構造の簡素化と部品点数の削減、並びに組立工数の削減等に基づくコストダウンを達成することができると同時に、外観のシンプル化に伴うデザイン性の向上をも達成することができる。
【００２１】
また、ソケットカバーについてもアルミ押出成形材とすることにより、灯具本体とソケットカバーの一体感を生じさせることができると同時に、ソケットカバーの強度向上をも達成することができる。
【００２２】
更に、複数の灯具本体を長手方向に隣接して並べて配置し、互いに隣接する灯具本体においてその境界部を挟んで背向する２つのプラグソケットを共通のソケットカバーで覆うように構成すれば、隣接する灯具本体の境界部を覆って目立たなくすることができ、車室内における灯具の連続感を生じさせることができる。
【発明を実施するための最良の形態】
【００２３】
以下、図面を参照しつつ本発明の実施の形態について説明する。
図１は本発明の実施の形態を側面から見た図を部分省略して示す図であり、図２はそのＡ−Ａ拡大断面図である。
【００２４】
灯具本体１は一様な断面形状を有するアルミ押出成形材からなり、コ字形断面部１１の開口端両側に、外側に斜めに突出する反射板１２が一体に形成され、その各反射板１２のコ字形断面部１１に対する付け根部には、長手方向に沿った溝１３がそれぞれ形成されている。
【００２５】
灯具本体１の両端近傍には、それぞれランプソケット２がコ字形断面部１１の内側に固定され、その各ランプソケット２に蛍光ランプ３の両端部が差し込まれる。各ランプソケット２は、灯具本体１のコ字形断面部１１の外側上方に配置された安定器５に接続されており、蛍光ランプ３はランプソケット２を介して安定器４から給電されて点灯する。
【００２６】
灯具本体１には、各ランプソケット２が配設されている両端部を除いてその中間部分に、コ字形断面部１１の開口部を塞ぐ蓋６が適当なスペーサを介して複数箇所において当該コ字形断面部１１の底面にねじ止めされており、このコ字形断面部１１と蓋６で囲まれた空隙は配線スペースとして用いられる。
【００２７】
さて、灯具本体１の両端部の各ランプソケット２およびその近傍の蛍光ランプ３の両端部近傍の下方は、若干の隙間を介してソケットカバー４で覆われている。ソケットカバー４は、断面略Ｕ字形をなし、そのＵ字形の開口端両側に外側に向けて突出した耳部４１が一体に形成されたアルミ押出成形材であって、両側の耳部４１が灯具本体１に形成されている前記した溝１３に嵌まり込み、この溝１３をスライドガイドとして灯具本体１の長手方向に摺動自在に支持されている。
【００２８】
ソケットカバー４の耳部４１の断面形状は、図３にその近傍の拡大断面図を示すように、Ｕ字形の開口部分から水平に突出する平板部４１ａの先端に長手方向に沿った円筒状の膨らみ部４１ｂを有する形状とされており、また、溝１３の断面形状は、耳部４１の平板部４１ａを支持する平坦部１３ａの奥側に膨らみ部４１ｂを収容する円筒孔部１３ｂを備えた形状とされている。この耳部４１と溝１３の断面形状により、ソケットカバー４は溝１３に直交する上下並びに左右方向への変位が規制されて振動等を生じることなく、また、溝１３をガイドとしてスムーズに摺動することが可能となる。
【００２９】
ソケットカバー４の溝１３上での定常的な位置、つまりプラグソケット２とその近傍の蛍光ランプ３の端部の下方を覆う位置への位置決め機構は、ボールプランジャ７と耳部４１の平板部４１ａに設けられている孔４１ｃによって構成されている。すなわち、灯具本体１には、上から溝１３内に臨むようにボールプランジャ７がねじ込まれ、ナット８によって固定されている。ボールプランジャ７は、外周面に雄ねじ７ａが刻まれた円筒体７ｂの内部に軸方向に変位自在にボール７ｃを収容するとともに、そのボール７ｃを円筒体７ｂの一端側から外部に臨ませるとともに、そのボール７ｃを圧縮コイルバネ７ｄによって外部側に付勢した構造を持つ公知のものであり、このボールプランジャ７のボール７ｃが溝１３内に僅かに突出している。一方、ソケットカバー４の耳部４１の平板部４１ａには、そのボール７ｃが嵌まり込む孔４１ｃが形成されており、この孔４１ｃにボール７ｃが嵌まり込んだ状態では、ソケットカバー４は振動や多少の外力では移動せず、ソケットカバー４を意図的にずらすべく力を加えることによってはじめてスライドする。
【００３０】
以上の本発明の実施の形態は、図４に鉄道車両の天井部を下から見た部分図を例示するように、例えば天井部の車幅方向両側に、それぞれ車両の長手方向に沿って各灯具本体１の端部が相互に密着するように連続して取り付けられる。従って、各灯具本体１に形成されている溝１３は、互いに隣接するものどうしで連続したものとなる。そして、図５にその鉄道車両への装着状態における要部縦断面図を示すように、上記したソケットカバー４は、長手方向に密着状態で端部どうしが接合するように取り付けられている２つの灯具本体１において互いの接合面を挟んで背向状態で配置されている２つのプラグソケット２に対しては、これら双方の下方を覆うことのできる長さを持つ共通のものが用いられている。この構成において、互いに隣接する２つの灯具本体１のうち、一方の灯具本体１の蛍光ランプ３を交換する場合には、他方の灯具本体１側にソケットカバー４を移動させればよい。
【００３１】
以上の本発明の実施の形態によると、灯具本体１の両端部のランプソケット２の下方を覆うソケットカバー４が、灯具本体１自体に形成されている溝１３に沿って移動して開閉するため、従来のようにソケットカバーの開閉のための水平軸とその支持機構やスライド機構を備えた樹脂製の端部ユニットなどが不要となり、部品点数および組立工数の削減を達成できると同時に、断面形状の自由度の高いアルミ押出成形材からなる灯具本体１の両端部に樹脂などからなる他部材が存在しないため、すっきりした良好なデザインとなっている。
【００３２】
また、ソケットカバー４についてもアルミ押出形成材としているため、灯具本体１との一体感が生じ、上記したデザイン性がより一層良好なものとなると同時に、従来の樹脂製のソケットカバーに比してその強度が向上する。
【００３３】
そして、灯具本体１に全長にわたって形成されている溝１３にスライドカバー４を摺動自在に支持しているため、複数の灯具本体１を互いに端部が接するように鉄道車両の天井部等に取り付けた状態では、各灯具本体１を通じて溝１３が連通する結果、互いに隣接する灯具本体１の接合面を跨ぐように共通のスライドカバー４を設けて、接合面を挟んで背向する２つのソケットカバー４を覆うように構成することが可能となり、このようなソケットカバー４を設けることによって、複数の灯具本体１の連続感が顕著に現れる。
【００３４】
なお、以上の実施の形態においては、ソケットカバー４を定常位置に位置決めするための係止機構を、ソケットカバー４側に設けた孔４１ｃと灯具本体１側に設けたボールプランジャ７によって構成したが、ボールプランジャ７に代えて、例えば一部が屈曲した板ばねを用い、その屈曲部分がソケットカバー４の孔４１ｃに入り込むことによって当該ソケットカバー４を係止するなどの機構を採用することもできる。
【図面の簡単な説明】
【００３５】
【図１】本発明の実施の形態を側面から見た図を部分省略して示す図である。
【図２】図１のＡ−Ａ拡大断面図である。
【図３】ソケットカバー４の耳部４１の近傍の拡大断面図である。
【図４】本発明の実施の形態を鉄道車両の天井部に取り付けた例の説明図であり、天井部を下から見た部分図である。
【図５】本発明の実施の形態を鉄道車両の天井部に取り付けた状態の要部縦断面図である。
【図６】従来の鉄道車両の灯具の例を示す図であり、（Ａ）は斜視図で、（Ｂ）はその端部の拡大側面図である。
【図７】従来の鉄道車両の灯具の他の例を示す図であり、（Ａ）は斜視図で、（Ｂ）はその端部の拡大側面図である。
【符号の説明】
【００３６】
１  灯具本体
１１  コ字形断面部
１２  反射板
１３  溝
１３ａ  平坦部
１３ｂ  円筒孔部１３ｂ
２  ランプソケット
３  蛍光ランプ
４  ソケットカバー
４１  耳部
４１ａ  平板部
４１ｂ  膨らみ部
４１ｃ  孔
５  安定器
６  蓋
７  ボールプランジャ
８  ナット
【図１】
2006027526.tif 000003
【図２】
2006027526.tif 000004
【図３】
2006027526.tif 000005
【図４】
2006027526.tif 000006
【図５】
2006027526.tif 000007
【図６】
2006027526.tif 000008
【図７】
2006027526.tif 000009